(57)【特許請求の範囲】
【請求項１】
コンピュータ上で実行される複数の段階を備えた、関節の関節接合面の軟骨修復のための誘導ツールを設計する方法であって、
前記誘導ツールは複数の誘導チャネルを有し、前記複数の誘導チャネルを用いて軟骨および骨プラグまたはインプラントの挿入、および、挿入ツールの誘導を可能とすることを目的としたものであり、
前記コンピュータ上で実行される複数の段階は、
関節における軟骨損傷の物理パラメータを決定して、軟骨修復物体および前記軟骨修復物体の相対的な配置のための設計パラメータを生成する段階（Ｉ）を備え、
前記段階（Ｉ）は、
それぞれの軟骨損傷箇所に適合する軟骨修復物体を選択する段階（ＩＩ）であって、前記軟骨修復物体は、正常な表面輪郭曲率に基づき、表面が前記関節における軟骨の関節接合面とそろうように構成される、前記段階（ＩＩ）と、
取得した画像データに基づいて、選択された前記軟骨修復物体の位置および角度を決定する段階（ＩＩＩ）であって、前記位置および角度は、前記選択された軟骨修復物体が前記それぞれの軟骨損傷箇所に適合するように調整されており、前記軟骨修復物体の前記角度は、前記複数の誘導チャネルの長手軸のそれぞれが前記関節接合面と交差する箇所の前記骨または前記軟骨の前記関節接合面における点で、前記コンピュータ上で描画された接平面の法線に対して０−４０度の間で選択される、前記段階（ＩＩＩ）と、
前記軟骨修復物体を配置するのに適した前記誘導ツールの設計パラメータを生成する段階（ＩＶ）と
を有し、
前記段階（ＩＶ）は、
位置決め本体から延伸している誘導本体における前記複数の誘導チャネルの上側部分および下側部分の設計を生成する段階（Ｖ）
を含み、
前記複数の誘導チャネルは、前記位置決め本体および前記誘導本体を通過しており、
前記複数の誘導チャネルの角度および位置は、前記選択された軟骨修復物体の前記決定された角度および位置に応じて対応するように生成され、かつ前記複数の誘導チャネルの前記長手軸のそれぞれが前記関節接合面と交差する箇所の前記骨または前記軟骨の前記関節接合面上の点において前記コンピュータ上で描画される接平面の法線に対して０−４０度となるように選択され、
全ての前記複数の誘導チャネルの前記下側部分の設計は、前記選択された軟骨修復物体の決定された断面積に応じて対応するように生成される、方法。
【請求項２】
高さが０．３−２０ｃｍである前記複数の誘導チャネルの設計パラメータが生成される、請求項１に記載の方法。
【請求項３】
前記高さが２−１０ｃｍである、請求項２に記載の方法。
【請求項４】
前記高さが３−１０ｃｍである、請求項３に記載の方法。
【請求項５】
前記高さが２−５ｃｍである、請求項２に記載の方法。
【請求項６】
前記軟骨修復物体は、それぞれの軟骨に適合するように選択され、
前記軟骨修復物体は、
断面積が、前記軟骨損傷箇所の表面積に適合するように調整されており、
長さが、選択された関節および／または選択された種類の軟骨損傷に適合するように調整されている、請求項１から５のいずれか１項に記載の方法。
【請求項７】
前記軟骨修復物体は、インプラント、または、正常な軟骨および骨プラグである、請求項１から６のいずれか一項に記載の方法。
【請求項８】
軟骨接触面は、前記複数の誘導チャネルの筒口の面積よりも１０−９０％大きい、請求項１から７のいずれか一項に記載の方法。
【請求項９】
前記軟骨修復物体はそれぞれ、サイズが０．１ｃｍ２と５ｃｍ２との間である、請求項１から８のいずれか一項に記載の方法。
【請求項１０】
前記サイズが０．５ｃｍ２と３ｃｍ２との間である、請求項９に記載の方法。
【請求項１１】
前記サイズが０．５ｃｍ２と２ｃｍ２との間である、請求項１０に記載の方法。
【請求項１２】
前記誘導ツールは、面積が０．１−１０ｃｍ２である軟骨損傷を修復することを目的としている、請求項１から１１のいずれか一項に記載の方法。
【請求項１３】
前記誘導ツールは、前記関節における軟骨全体の１−７０％であるサイズを持つ軟骨損傷を修復するように構成されている、請求項１から１２のいずれか一項に記載の方法。
【請求項１４】
前記複数の誘導チャネルは、前記複数の誘導チャネルの前記長手軸が前記関節接合面と交差する箇所の骨または軟骨の前記関節接合面上の点において前記コンピュータ上で描画される接平面の法線に対して０−４０度の範囲内で選択された角度において、前記複数の誘導チャネルの前記長手軸のそれぞれが傾斜するように配向されるように構成されている、請求項１から１３のいずれか一項に記載の方法。
【請求項１５】
前記誘導本体はさらに、前記関節において前記インプラントのための孔を設ける際の穿孔処理またはリーミング処理で発生する廃棄物の排出を可能とし、および／または、外科医が容易に前記軟骨損傷箇所を視認できるようにする中空空間を含む、請求項１から１４のいずれか一項に記載の方法。
【請求項１６】
前記廃棄物が、軟骨組織および骨チップを含む、請求項１５に記載の方法。
【請求項１７】
前記誘導ツールは、前記複数の誘導チャネルの外周の外側に側方に延伸する前記位置決め本体を有する、請求項１から１６のいずれか一項に記載の方法。
【請求項１８】
前記関節の画像を表現する画像データは、磁気共鳴映像法（ＭＲＩ）、コンピュータ断層撮影法（ＣＴ）もしくは両者の組み合わせ、または、他の適切な技術を用いて取得され、前記他の適切な技術は、遅延相軟骨造影ＭＲＩ（ｄＧＥＭＲＩＣ）技術、並びに、ＣＴもしくはＭＲおよび放射線造影剤の組み合わせ、からなる群から選択される、請求項１から１７のいずれか一項に記載の方法。
【請求項１９】
前記軟骨修復物体は、インプラントまたは正常な軟骨および骨プラグである、請求項１から１８のいずれか一項に記載の方法。
【請求項２０】
設計された前記複数の誘導チャネル同士の間の相対的な最短距離は、１−３ｍｍである、請求項１から１９のいずれか一項に記載の方法。
【請求項２１】
請求項１から２０のいずれか１項に記載の前記設計する方法によって生成された前記複数の設計パラメータを用いて、誘導ツールを製造する方法。
【請求項２２】
請求項１から２０のいずれか１項に記載の方法を、コンピュータに実行させるためのプログラム。
【発明の詳細な説明】
【技術分野】
【０００１】
本発明は概して、整形外科手術および外科手術ツールに関する。本発明は特に、膝、足首、股関節、肩、ひじ、指および足等の関節における関節接合面の損傷した軟骨を交換するためのツールキットを含むキットに含まれている外科手術誘導ツールに関する。
【背景技術】
【０００２】
＜一般的な背景技術＞
体の関節の痛みや酷使が原因の不調は、多くの人が抱える問題である。例えば、摩耗および罹患の可能性が高い最も重要な関節の一つに、膝が挙げられる。膝によって、体が支持されると共に移動が可能となる。膝は、体の中で最大の関節であり、強度も最も高い。膝の痛みは、例えば、怪我、関節炎または感染が原因となり得る。膝およびその他の関節において体重を支える面および関節接合面は、軟組織の層で被覆されており、当該層は通常、多量の硝子軟骨を含む。関節の軟骨とその周囲の部分との摩擦は非常に小さく、負荷が高くても関節が動き易いようになっている。しかし、軟骨は、疾病、怪我または慢性疲労によって、損傷しやすい。さらに、軟骨は、他の結合組織とは異なり損傷すると容易に治癒するものではなく、治癒しても、耐摩耗性の高い硝子軟骨は通常、耐摩耗性の低い線維軟骨に置き換わる。つまり、軟骨の損傷は徐々に悪化していくということである。負傷／疾病に加えて、障害および機能損失に至る痛みの問題もある。このため、膝関節の軟骨が損傷した場合に修復する効率的な手段および方法を得ることが重要である。
【０００３】
今日利用されている人工膝は、痛みを和らげることにおいては成功しているが、人工膝の寿命は１０年から１５年と限られている。外科手術は、負担が大きく、回復には通常、約６ヶ月から１２か月の期間がかかる。今日では、トレーニングおよび鎮痛剤で痛みを和らげることが可能であれば、外科手術は回避することが多い。このため、痛みが大きく、疾患末期で、関節が完全に損傷している年配の患者にとって人工装具が一番の選択肢となる。人工装具にはさまざまな種類があり、例えば、部分人工装具、全体人工装具および膝関節改修用装具（Ｒｅｖｉｓｉｏｎ  Ｋｎｅｅ）がある。膝関節改修用装具は、人工装具で不具合が発生した後に用いられる。今日の膝の人工装具で用いられる材料は通常、金属材料およびポリマー材料の組み合わせだが、セラミックス等の他の材料も見られる。膝用人工装具のサイズを考慮すると、観血手術で挿入することが必要である。
【０００４】
いずれの治療法も効果は限定的に過ぎず、コストが高く、感染の危険性があり、緩くなる危険性があり、年齢、損傷の範囲および位置が多岐にわたる多くの患者に適したものであるかについては効果が限定的である。
【０００５】
＜具体的な背景技術＞
軟骨の修復または再建を主な目的として世界各国の診療所で実施されている他の方法としては、人工装具を利用する方法以外に、例えば、微視的骨折、軟骨細胞移植（ＡＣＩ）、骨膜フラップおよび骨軟骨移植術（ｍｏｓａｉｃｐｌａｓｔｙ）等、生物学からのアプローチがある。
【０００６】
移植またはインプラントを利用して軟骨組織を修復する外科手術において、軟骨修復物体、例えば、インプラントまたは移植物、例えば、正常な軟骨および骨プラグを正確に位置決めすることが重要である。軟骨修復物体が意図した位置からずれてしまうと、関節における摩耗または負荷が増えてしまう可能性がある。例えば、軟骨修復物体が傾いていると、軟骨表面上方に突出するエッジが形成されてしまい、関節における反対側の軟骨が摩耗してしまうことになる。別の例を挙げると、軟骨修復物体が、その表面が軟骨の表面の上方に突出するような位置に配置されると、関節における関節接合が平坦でなくなり、関節の反対側における負荷が大きくなってしまう。患者にとっては、理想的な位置からわずかに位置がずれても、痛みが発生し、回復にかかる時間が長くなり、外科手術を行っても無駄になり、関節の損傷の修復がさらに困難になってしまう。今日では、一のインプラントまたは移植物の位置決めを支援する誘導ツールが知られている。
【０００７】
正常な軟骨および骨プラグを損傷した軟骨領域に移植することは、大人に比べて、まだ成長が完了しておらず、軟骨の自己修復の可能性が高い若い患者にとって特に有益である。骨軟骨移植術（Ｍｏｓａｉｃｐｌａｓｔｙ）は、軟骨およびその下方にある骨の円形の「プラグ」を損傷領域まで移動させることを含む。プラグはそれぞれ、直径が数ミリメートルであり、複数のプラグが損傷領域に移動すると、モザイクのように見える。軟骨の複数の小さいプラグは、モザイクタイルのように見える。自家骨軟骨移植（ＯＡＴＳ）は、骨軟骨移植術と非常によく似た技術であるが、ＯＡＴＳ手術の場合は、プラグがもっと大きいことが多く、このため軟骨損傷領域を埋めるために必要なプラグは１個または２個だけである。このため、モザイク状には見えないが、原理は同じである。
【０００８】
今日では、骨軟骨移植術または自家骨軟骨移植（ＯＡＴＳ）は、所望のサイズの骨軟骨プラグを採取する移植片採取ツールを利用して実施される。骨軟骨プラグを採取した後、当該プラグは、採取ツールの一部であるプランジャーを利用して受容孔に配置される。これらのツールは利用が容易ではないので、インプラントの位置ずれまたははみ出しが無いようにするためには、外科医が大きな責任がかかる。
【０００９】
支持されている移植片は順調に回復するが、支持されていない移植片は、陥没してしまい線維組織に被覆されることが多い。このため、移植したプラグのサイズが正しく、移植片は支持性が良好な受容箇所に座設することが重要である。
【００１０】
市場で入手可能な誘導ツールは、インプラントの位置決めの際に信頼性および再現性の高い軟骨修復を高精度で行うための支持構造を持たない。今日の市場で入手可能なインプラントは、外科医の技能に左右される。
【００１１】
＜先行技術＞
損傷した軟骨および骨を正常な軟骨および骨と交換する、骨軟骨移植術または自家骨軟骨移植（ＯＡＴＳ）または他の方法を利用して損傷した軟骨を交換するツールを開示している先行技術の例としては、以下の文献に記載されている。
【００１２】
国際公開公報第２００９／１０８５９１  Ａ１号は、穿孔孔をさまざまな角度で骨内部に誘導する穿孔ガイドを利用することを含む、間接接合軟骨損傷修復方法を記載している。
【００１３】
米国特許出願公開公報第２００９／０２０９９６２  Ａ１号は、人間の関節の表面再生のために、骨軟骨自家移植の準備および移植を実行する装置および技術を記載している。当該技術は、内側誘導部および外側誘導部を含む誘導部を利用することを含む。誘導部の関節接合面は、自家移植および受容側の骨の両方の関節接合面に一致する。誘導部は、コンピュータ技術およびラピッドプロトタイピングを利用して製造されるとしてよい。外側誘導部は、誘導ピンで自家移植箇所に固定される。
【００１４】
米国特許出願公開公報第２０１０／０２９２７０４  Ａ１号は、外側環状部材の内部に摺動可能に挿入されているプッシュロッドを備えるインプラント挿入装置を説明している。当該装置は、インプラントを軟骨損傷領域に配置するために用いられるとしてよい。誘導ワイヤを用いて、損傷した軟骨および骨を取り除くべく、所定位置に病変計測器（誘導ワイヤに取着されている）を誘導する。
【００１５】
米国特許出願公開公報２００５／０１３７６００  Ａ１号は、関節の関節接合軟骨の修復のための技術および機器を説明している。例えば、軟骨カッターおよび誘導部の両方として機能し、プッシュロッドを備えるインプラント搬送装置が記載されている。
【００１６】
国際公開公報第２００６／０６０４１６  Ａ２号は、軟骨修復を行う方法および装置を説明している。当該装置の穿孔誘導部は、近接端が、異常部分の外周における組織の形状に一致するような形状を持つ。
【００１７】
米国特許出願公開公報第２００９／０２４１３１  Ａ１号は、整形外科膝手術のための装置を説明している。当該装置は、穿孔誘導部を備えるとしてよい。当該装置は、位置合わせ誘導部および穿孔誘導部の２つの誘導部を備える。位置合わせ誘導部の本体の解剖学的に係合する内面は、対応する脛骨関節面によく似た形状を持ち係合する。位置合わせ誘導部は、脛骨関節面に取着されており、穿孔誘導部は、位置合わせ誘導部に取着されている。これら２つの誘導部は、患者のＭＲＩスキャンまたはＣＴスキャンから形成される手術前計画に基づいて作成され、正確な位置決めが可能であるか否かは皮下の解剖学的特徴が一致するか否かに左右される。上述した誘導部は、小規模の軟骨損傷修復を目的としたものではなく、または、インプラントの配置を誘導するためのものでもない。より大型のインプラントを固定する前の穿孔のための誘導部である。
【００１８】
米国特許出願公開公報第２０１０／１２１３８９  Ａ１号は、大腿骨インプラントの移植のために大腿遠位の準備を行う方法を説明している。そして、外科医は、大腿骨に形成されている孔が、大腿骨インプラントを大腿骨にしっかりと移植する上で適切な位置にあるか否かを評価する。この誘導部は、小型の軟骨修復インプラントの配置を誘導するのではなく、より大型のインプラントの配置のための孔の穿孔を誘導する。
【００１９】
米国特許出願公開公報第２００８／２６２６２４  Ａ１号は、インプラントを開示している。当該インプラントの第１の部分は、少なくとも１つの患者に合わせて調節可能なフィーチャを持ち、当該インプラントの第２の部分は、少なくとも１つの標準的なフィーチャを持つ。このインプラントによれば、移植時に、標準的な切断誘導部を利用することが可能になる。
【００２０】
米国特許出願公開公報第２００９／２２１８９８  Ａ１号は、ラピッドプロトタイピングマシンを用いて患者画像に基づいてカスタマイズされた医療装置を製造する方法を記載している。この誘導部は、カスタマイズされたカッティングブロックであり、小型のインプラントを誘導するための誘導部ではない。
【００２１】
上述した先行技術に係る解決方法は、かなりの程度まで、必要以上に患者本来の軟骨を傷つける量が多くなる。
【発明の概要】
【発明が解決しようとする課題】
【００２２】
＜発明の目的の全体像＞
本発明は概して、関節の関節接合面における軟骨および骨プラグまたはインプラントの高精度な挿入および位置決めを可能とする手段を提供することを目的とする。本発明はさらに、ツール、例えば、骨軟骨移植術または自家骨軟骨移植（ＯＡＴＳ）において正常な軟骨を含む軟骨および骨プラグを製造する際に他の挿入ツールの誘導を可能とし、インプラントの誘導を可能とする個別にカスタマイズしたツールを提供するという問題を解決する。
【００２３】
＜個別の問題＞
本発明はさらに、以下に記載する個別の問題を解決する方法を目的とする。
関節の非ベアリング領域から、良好に適合する軟骨修復物体を提供
損傷した組織の修復を最適に行うべく、関節の損傷したベアリング領域に軟骨修復物体を挿入して関節の表面構造に良好に組み込む方法を提供、当該方法によれば、周辺組織への損傷は最小限に抑える
上部曲率、奥行きおよび角度が適切であるプラグまたはインプラントを選択および選定する方法、そして、このようなプラグまたはインプラントを配置する方法を提供
軟骨修復物体、例えば、プラグまたはインプラントを関節に移植して、損傷した組織を最適に修復しつつ周辺組織への損傷を最小限に抑えるべく、軟骨修復物体の位置決めを改善し、外科医によるこの位置決めを支援する手段を提供
例えば、高精度で行うことが重要である小規模の軟骨損傷の軟骨修復において、関節の軟骨修復において用いられる誘導ツールの設計方法を提供、関節の軟骨の一部またはわずかな一部を、プラグまたはインプラントで置き換える
【課題を解決するための手段】
【００２４】
本発明は、関節の一部分、例えば、罹患領域および／または罹患領域よりもわずかに大きい領域、例えば、軟骨および／または骨を、周辺構造および周辺組織と軟骨修復物体とが解剖学的に略一致するように、軟骨修復物体および誘導ツールで置換する方法を提供する。
【００２５】
本発明の第１の側面は、正常な軟骨および骨プラグを、関節の非ベアリング部分から採取して、軟骨損傷箇所の軟骨を置換する領域へ挿入する際に誘導するべく利用される、関節の関節接合面における軟骨修復用の誘導ツールである。本発明に係る誘導ツールはさらに、インプラントの挿入を誘導するべく利用されるとしてもよい。実際に採取する場合には、本発明に係る誘導ツールの内側にある軟骨採取ツールを利用して行うとしてよい。本発明に応じて個別に設計された誘導ツールは、プラグを採取するように設計されているか、または、プラグを損傷箇所に配置するように設計されているか、または、プラグまたはインプラントの採取および配置の両方を誘導可能に設計されているか、いずれでもよい。誘導ツールの内側にある軟骨採取ツールはさらに、採取した軟骨および骨プラグを損傷軟骨領域に配置するために用いられるプランジャーを備えているとしてよい。
【００２６】
誘導ツールは、少なくとも１つの誘導チャネルを有する位置決め本体および誘導本体を備える。誘導チャネルは、位置決め本体および誘導本体を貫通している。位置決め本体は、関節の軟骨または軟骨下骨のうち、罹患した軟骨部分の周囲を取り囲む所定領域の外形に一致するように構成されている軟骨接触面を持つ。位置決め本体が有する誘導チャネルは、挿入ツールに対応するように構成されている断面プロフィールを少なくとも１つ持つ。誘導チャネルは、少なくとも１つの筒口が、罹患した軟骨の箇所に対応する位置において、軟骨表面に面している。
【００２７】
挿入ツールは、誘導ツールの誘導チャネルの内部で利用される。挿入ツールは、軟骨採取ツールおよび挿入ツールを誘導チャネル内へと摺動させることが可能になるようにわずかな公差を設けつつ、誘導チャネルに嵌合するとしてよい。挿入ツールは、本発明の他の実施形態では、例えば、軟骨採取ツールおよび挿入ツールとして、または、ドリルビットとして提供される。
【００２８】
本発明に係る誘導ツールは、少なくとも１以上の誘導チャネルおよび軟骨接触面を含む誘導本体を有する位置決め本体を備える。軟骨接触面は、関節における軟骨または軟骨下骨のうち、罹患した軟骨の箇所の周囲を取り囲む所定の領域の個別の外形に適合するように構成されている。誘導チャネルは、挿入ツールの断面に対応するように構成されている断面プロフィールを持つ。各誘導チャネルは、罹患軟骨の箇所に面する位置において筒口が軟骨損傷に面している。当該誘導ツールは、誘導チャネルが所定パターンで誘導本体内に配置されるように設計または配置されることを特徴とする。複数の誘導チャネルの位置および相対距離および相対角度は、それぞれの軟骨損傷箇所に適合するように構成されている。
【００２９】
別の実施形態によると、本発明に係る誘導ツール１は、外側部分２３４および内側部分２３２を有する複数の誘導チャネル２００のうち少なくとも１つを備え、外側部分２３４は、内側部分２３２よりも体積が大きく、外側部分２３４と内側部分２３２との間には停止機能２１４が設けられているか、または、外側部分２３４の断面直径２１２は、内側部分２３２の断面直径２６２よりも小さく、または、例えば、外側部分２３４の断面直径２１２は、内側部分２３２の断面直径２６２に比べて、３０％未満または１−２０%未満の割合で、小さい。
【００３０】
別の実施形態によると、本発明に係る誘導ツール１は、位置決め本体２０６の軟骨接触面（２０８）が３つの接触点を有している。これら３つの接触点は、誘導本体２０６全体に分散しており、関節において誘導ツール１を安定して位置決めするべく、関節の一部に接触する。
【００３１】
別の実施形態によると、本発明に係る誘導ツール１は、軟骨接触面２０８が位置決め本体２０６上に配置されている。軟骨接触面２０８は、３つの接触点を有している。これら３つの接触点は、誘導本体２０６全体に分散しており、関節において誘導ツール１を安定して位置決めするべく、関節の一部に接触する。例えば、軟骨接触面は、筒口の面積よりも１０−９０％大きくてもよく、または、軟骨接触領域は、面積の１０−９０％が筒口の開口によって穿孔されているとしてもよい。
【００３２】
本発明に係る誘導ツール（１）は、誘導チャネル（２００）および位置決め本体（２０６）を備える。位置決め本体（２０６）はさらに、軟骨接触面（２０８）を含む。位置決め本体（２０６）は、誘導チャネル（２００）の外周の外側に横方向に延在している。
【００３３】
別の実施形態によると、本発明に係る誘導ツール１は、誘導チャネル２００の高さ２１８が０．３−２０ｃｍであり、好ましくは３−１０ｃｍである。
【００３４】
別の実施形態によると、本発明に係る修復システムは、インプラントまたは正常な軟骨および骨プラグである軟骨修復物体を備える。
【００３５】
別の実施形態によると、本発明に係る誘導ツール１は、誘導チャネル間の距離のうち相対的に最も短い距離８０４は１−３ｍｍである。
【００３６】
別の実施形態によると、本発明に係る誘導ツール１は、誘導チャネル間の距離のうち最も短い距離８０４が１−３ｍｍである。
【００３７】
別の実施形態によると、本発明に係る、関節の関節接合面における軟骨修復のための誘導ツール１を設計する方法は、以下の段階Ｉ、ＩＩを備える。
Ｉ．関節における軟骨損傷の物理パラメータを決定して、複数の軟骨修復物体６００およびそれらを所定パターンで配置する場合の位置関係の設計パラメータを生成する段階
当該段階は以下の段階ａ、ｂを有する。
ａ．それぞれの軟骨損傷箇所に適合するように修復物体を選択する段階
なお、修復物体は、
断面積が、軟骨損傷箇所の表面積に適合し、
長さが、選択された関節および／または軟骨損傷の種類に適合し、
表面は、正常な表面の外形の曲率に基づいて、関節の関節接合軟骨面と位置合わせされる
ｂ．取得した画像データに基づいて、選択された軟骨修復物体の位置および角度を決定する段階
なお、位置および角度は、選択された修復物体がそれぞれの軟骨損傷箇所に適合するように構成されている
ＩＩ．軟骨修復物体の配置のために、誘導ツール１の設計パラメータを生成する段階、
当該段階ＩＩは以下の段階を有する
ａ）位置決め本体２０２から延在している誘導本体２０６における誘導チャネル２００の上側部分２３４および下側部分２３２の設計を生成する段階
誘導チャネル２００は、位置決め本体２０２および誘導本体２０６を貫通しており、角度および位置は、選択された軟骨修復物体について決定された角度および位置に略対応するようにこれらに応じて生成される
全ての誘導チャネル２００の下側部分２３２の設計は、選択された軟骨修復物体について決定された断面積に略対応するようにこれらに応じて生成される
【００３８】
別の実施形態によると、本発明に係る、関節の関節接合面において軟骨修復のために誘導ツール１を設計する方法は、以下の段階を備える。
関節における軟骨損傷について物理パラメータを決定して、軟骨損傷に応じて、軟骨修復物体６００の数、軟骨修復物体６００のサイズ、および、所定パターンの他の軟骨修復物体に対する軟骨修復物体６００の相対的な配置について設計パラメータを生成する段階
当該段階は以下の段階２、３、４を有する。
２．関節においてそれぞれの軟骨損傷箇所に適合するように軟骨修復物体６００を選択する段階
修復物体は、
断面積が、他の修復物体の他の断面積と組み合わせると、または、単体で、軟骨損傷箇所の表面積に適合するように構成されており、
長さが、選択されている関節および／または軟骨損傷の種類に適合するように構成されており、
表面が、正常な表面の外形の曲率に基づいて、関節において関節接合軟骨表面と位置合わせされるように構成されている。
３．患者の軟骨損傷をスキャンするＸ線、ＣＴ、ＭＲＩまたはその他の撮像技術で取得された画像データに基づいて、選択された軟骨修復物体の位置および角度を決定する段階
位置および角度は、選択された修復物体が各軟骨損傷箇所に適合するように構成されている。
４．軟骨修復物体の配置のために設計される誘導ツール１の設計パラメータを生成する段階
当該段階は以下の段階ａ）を有する。
ａ）位置決め本体２０２から延在する誘導本体２０６内の誘導チャネル２００の上側部分２３４および下側部分２３２の設計を生成する段階、
誘導チャネル２００は、位置決め本体２０２および誘導本体２０６を貫通しており、角度および位置は、選択された軟骨修復物体について決定された角度および位置、そして、意図または設計された関節における軟骨修復物体の配置に略対応するようにこれらに応じて生成される
全ての誘導チャネル２００の下側部分２３２の設計は、選択された軟骨修復物体について決定された断面積に略対応してこれらに応じて生成される
【００３９】
別の実施形態によると、本発明に係る、関節の関節接合面における軟骨修復のための誘導ツール（１）を設計する方法は、以下の段階Ｉ、ＩＩを備える。
Ｉ．関節における軟骨損傷の物理パラメータを決定し、複数の軟骨修復物体（６００）および所定パターンにおける複数の軟骨修復物体の相対配置の設計パラメータを生成する段階
段階Ｉは、以下の段階を有する。
ａ）関節の骨部材の３次元画像を表す画像データを取得する段階
ｂ）取得した画像データにおいて、骨部材の関節接合面における個々の軟骨損傷を特定する段階
ｃ）取得した画像データに基づいて、個々の軟骨損傷の位置を決定する段階
ｄ）取得した画像データに基づいて、個々の軟骨損傷のサイズおよび形状を決定する段階
ｅ）決定した個々の軟骨損傷のサイズおよび形状に基づいて軟骨損傷箇所を決定する段階
ｆ）取得した画像データに基づいて、個々の軟骨損傷箇所９２の表面輪郭曲率および／または個々の軟骨損傷箇所を含む所定領域における関節の軟骨下骨を決定する段階
ｇ）個々の軟骨損傷箇所を含む正常な表面輪郭曲率の情報を決定する段階
ｈ）個々の軟骨損傷個所に適合する修復物体を選択する段階、修復物体は、
断面積が軟骨修復箇所の表面積に適合し、
長さが軟骨損傷の種類および／または選択された関節に適合し、
表面が、正常な表面輪郭曲率に基づいて、関節における関節接合軟骨面に位置合わせされている
ｉ）取得した画像データに基づいて、選択された軟骨修復物体の位置および角度を決定する段階、位置および角度は、選択された修復物体が個々の軟骨損傷箇所に適合するように、設定されている
ＩＩ．軟骨修復物体の配置のための、誘導ツール１の設計パラメータを生成する段階、段階ＩＩは、以下の段階を有する
ａ．決定した軟骨の表面輪郭曲率および／または軟骨損傷の箇所の周囲を取り囲み軟骨損傷の箇所を含む所定領域における関節の軟骨下骨に応じて、位置決め本体２０２の軟骨接触面２０８のための接触点を、位置決め本体２０２の軟骨接触面２０８が軟骨の表面輪郭または関節における軟骨下骨に適合するように、生成する段階
ｂ．位置決め本体２０２から延在している誘導本体２０６の誘導チャネル２００の上側部分２３４および下側部分２３２について設計を生成する段階、
誘導チャネル２００は、位置決め本体２０２および誘導本体２０６を貫通しており、角度および位置は、選択された軟骨修復物体について決定された角度および位置に略対応するように、当該角度および位置に応じて生成される
全ての誘導チャネル２００の下側部分２３２についての設計は、選択された軟骨修復物体６００について決定された断面積に略対応するように当該断面積に応じて生成される
ｃ．骨プラグの関節接合面についての輪郭曲率が、軟骨および骨プラグを配置すべき位置である軟骨損傷を被覆する曲率に対応するように、正常な軟骨および骨プラグを採取すべき箇所および方法に関する示唆について任意で生成する段階
【００４０】
別の実施形態によると、本発明に係る、関節の関節接合面における軟骨修復のための誘導ツール１を設計する方法は、誘導チャネル２００の高さ２１８が０．３−２０ｃｍ、例えば、３−１０ｃｍとなるような設計パラメータを生成する段階を備える。
【００４１】
別の実施形態によると、本発明に係る関節の関節接合面における軟骨修復のための誘導ツール１を設計する方法は、軟骨修復物体がインプラントまたは正常な軟骨および骨プラグであることを含む。
【００４２】
別の実施形態によると、本発明に係る関節の関節接合面における軟骨修復のための誘導ツール１を設計する方法は、関節の画像を表す画像データが、磁気共鳴映像法（ＭＲＩ）、コンピュータ断層撮影法（ＣＴ）もしくはこれらの組み合わせ、または、他の適切な技術、例えば、遅延相軟骨造影ＭＲＩ（ｄＧＥＭＲＩＣ）技術を用いて取得されることを含む。
【００４３】
別の実施形態によると、誘導ツールは、関節における軟骨の一部のみを置換し、小型の軟骨損傷を置換するように設計される。例えば、面積が０．１ｃｍ２と１０ｃｍ２との間の軟骨損傷を修復するべく、断面プロフィールが０．１ｃｍ２と５ｃｍ２との間、０．５ｃｍ２と３ｃｍ２との間、または、好ましくは約０．５ｃｍ２と２ｃｍ２との間である軟骨修復物体を利用する。
【００４４】
別の実施形態によると、誘導ツールは、合計面積が、誘導ツールにおける総軟骨表面積の１０−９０％となる少なくとも１つの筒口を持つように設計される。
【００４５】
別の実施形態によると、誘導ツールは、全ての誘導チャネル２００の下側部分２３２についての設計が、当該誘導ツールが軟骨修復物体を軟骨修復箇所へ挿入する際に適切に誘導できるように、選択された軟骨修復物体６００について決定された断面積に略対応するように当該断面積に応じて生成されるように、設計される。
【００４６】
本発明の別の実施形態によると、誘導ツールは、インプラントまたはプラグを配置する前に、そして、さらに配置する軟骨修復物体を関節の軟骨修復箇所に誘導するように、軟骨損傷箇所を準備するのに適した誘導ツールとして設計される。
【００４７】
本発明の別の実施形態によると、誘導ツールは、直径が０．１ｃｍ２と５ｃｍ２との間、０．５ｃｍ２と３ｃｍ２との間、好ましくは、約０．５ｃｍ２と２ｃｍ２との間であるプラグまたはインプラントを挿入するように設計される。
【００４８】
本発明の別の実施形態によると、誘導ツールの筒口の断面直径は、インプラントまたは骨プラグの断面直径のサイズおよび形状に応じて、インプラントまたは骨プラグが当該筒口を通って挿入可能となるように、当該筒口がインプラントまたは骨プラグの断面直径に対応するように決定されるように設計される。例えば、筒口の断面積は、インプラントまたはプラグの断面積に比べて、±０−５％異なるように設計される。
【００４９】
さらに、本発明に係る誘導ツール１を利用する方法は、以下の段階ａ）、ｂ）、ｃ）、ｄ）を備える。
ａ）請求項６から請求項９に記載の設計方法に応じて設計された誘導ツールおよびデータを利用する段階、
ｂ）段階ａ）で個別に形状を整えた誘導ツールを軟骨損傷箇所８０６に挿入して、任意で誘導ツールを軟骨に固定する段階
ｃ）骨および軟骨で患者の軟骨損傷箇所において孔を穿孔する際に、誘導ツール１内の選択された誘導チャネル２００を誘導に利用する段階
ｄ）誘導のために誘導ツール１を利用して、段階ｃで形成された孔に、選択された軟骨修復物体６００を配置する段階
【図面の簡単な説明】
【００５０】
本発明はさらに以下で添付図面を参照しつつ説明する。添付図面は以下の通りである。
【図１】軟骨修復箇所が本発明に係る軟骨修復システムおよび誘導ツールを用いて修復されている膝関節の実施形態例を示す。
【図２】膝関節に配置されている本発明に係る誘導ツールの実施形態例を示す。
【図３】誘導ツールの誘導チャネルの内部において利用される複数の異なる挿入ツール、例えば、本発明に係る軟骨採取挿入ツールおよび穿孔ツールの実施形態例を示す図である。
【図４】患者毎に誘導ツールを設計するために利用される本発明に応じた設計方法の実施形態例を示す概略全体図である。
【図５】本発明に係る誘導ツールの実施形態例を示す部分図である。
【図６】ＡからＣは、本発明に係るモザイク移植において利用される制御ロックツールおよび軟骨修復物体の実施形態例を示す図である。
【図７】ＡからＨは、本発明に係る誘導ツールを利用する外科手術方法の実施形態例を示す図である。
【図８】ＡからＧは、本発明に係る誘導ツールを利用した外科手術方法の実施形態例の続きを示す図である。
【図９Ａ】脛骨における軟骨損傷の実施形態例を示す図であり、組み合わせると関節の３次元画像を表す一連の複数の画像で構成されるサンプル画像を示す側面図である。
【図９Ｂ】脛骨における軟骨損傷の実施形態例を示す図であり、組み合わせると関節の３次元画像を表す一連の複数の画像で構成されるサンプル画像を示す側面図である。
【図１０】インプラント用に軟骨または軟骨下骨に形成する孔のモデルを画像において可視化するべく、本発明に係る画像ベースツールをどのように利用するかを説明するための、本発明の実施形態例を示す概略図である。
【図１１】生成した設計パラメータに応じて挿入した軟骨修復物体のモデルを画像において可視化するべく、本発明に係る画像ベースツールをどのように利用するかを説明するための、本発明の実施形態例を示す概略図である。
【図１２】Ａ−Ｂは、大腿骨の関節接合軟骨部分を示す正面図の例を示す図である。
【図１３】誘導ツールが軟骨採取領域および軟骨損傷の軟骨領域の両方を被覆する本発明の実施形態例を示す図である。
【図１４】誘導ツールが一の誘導チャネルを含む本発明の実施形態例を示す図である。
【図１５】誘導ツールが含む誘導チャネルの下側部分および上側部分は直径が同じである本発明の実施形態例を示す図である。
【発明を実施するための形態】
【００５１】
＜概論＞
本発明は、整形外科手術において、骨軟骨移植術または自家骨軟骨移植（ＯＡＴＳ）の際に、または、インプラントの移植の際に、より高精度で利用される誘導ツールに関する。図１は、本発明に係る誘導ツール１を利用して本発明に係る方法に応じて軟骨修復箇所８９０が形成されている大腿骨１４１を示す図である。本発明に係る誘導ツールは、軟骨修復外科手術の際に利用される外科ツールの利用を誘導する。外科ツールまたは挿入ツールは、誘導ツールの内部で利用されるので、外科手術の間は誘導ツールによって支持されるとしてよい。さらに、誘導ツールは、インプラントまたはプラグの軟骨損傷への挿入を誘導する。
【００５２】
本発明に係る誘導ツールを用いて修復される通常の軟骨損傷は、関節のごく小さい一部分のみが損傷した状態である。例えば、１−５ｃｍ２または１−２ｃｍ２、０−１ｃｍ２の軟骨損傷を修復する。または、例えば、関節における軟骨表面の１−７０％の損傷を修復する。
【００５３】
誘導ツールは、軟骨修復物体を損傷挿入箇所に配置する前に、関節における軟骨損傷箇所の準備を誘導するとしてよい。軟骨修復物体は、例えば、正常な軟骨および骨プラグまたはインプラントであってよい。軟骨修復物体を配置する箇所の準備は、例えば、特定の角度で骨の軟骨損傷の箇所に孔を形成する誘導ツールによって誘導されるドリルビットを用いて実行するとしてよい。準備によって骨に形成された孔は、軟骨修復物体を配置するために用いられる。
【００５４】
誘導ツールは、例えば、角度および位置が所定である誘導チャネルであって、軟骨損傷に応じた寸法である誘導チャネルを含むように設計される。
【００５５】
本発明に係る誘導ツールは、複数の異なる挿入ツール、例えば、関節における損傷した軟骨を置換するための正常な軟骨プラグの配置を誘導するための図３の軟骨採取挿入ツール３０２と共に利用されるとしてよい。本発明に係る誘導ツールはさらに、他の挿入ツールと共に利用されるとしてもよい。例えば、関節のうち非ベアリング部分から正常な軟骨プラグを採取して用意が完了した箇所に誘導するためのツールと共に利用するとしてよい。
【００５６】
本発明の一実施形態例によると、図１３を参照されたい。誘導ツールは、軟骨損傷の軟骨領域および採取領域の両方を被覆しており、一部の誘導チャネルは、軟骨修復物体を膝の非ベアリング部分から採取するためのツールを誘導し、他の誘導チャネルは、軟骨修復物体を用意が完了した孔へと挿入するために用いられる挿入ツールを誘導するか、または、孔を穿孔するために用いられるツールを誘導する。
【００５７】
本発明の別の実施形態例によると、図１４を参照されたい。誘導ツールは一の誘導チャネルを備える。
【００５８】
別の実施形態例によると、本発明に係る誘導ツールは、備えている誘導チャネルの上側本体３２４が直径３９６であり、下側本体３４４は直径３１３であり、直径３９６および直径３１３は同じサイズである誘導ツールを含むように構成されている。図１５を参照されたい。
【００５９】
本発明はさらに、外科医が軟骨修復物体を配置する際に、修復物体と周囲の構造および組織とを略解剖学的に適合させるように配置することが可能な誘導ツールを用いて、関節の一部分、例えば、罹患領域および／または罹患領域よりわずかに大きい領域、例えば、軟骨および／または骨を、軟骨修復物体で置換する方法を提供する。例えば、修復すべき軟骨損傷のサイズは、関節における軟骨全体の１−７０％である。本発明に係る誘導ツールは、関節における軟骨全体の１−７０％であるサイズの軟骨損傷を、高精度で修復する。
【００６０】
本発明の第１の側面は、関節の関節接合面において軟骨修復を行う際に挿入ツールを誘導するために用いられる誘導ツールである。当該誘導ツールは、軟骨修復物体が関節の非ベアリング部分において採取できるように構成されていると同時に、軟骨修復物体を関節内の損傷箇所に配置できるように構成されているとしてよい。誘導ツールは、例えば、少なくとも１つの軟骨修復物体を採取するように構成されている少なくとも１つの誘導チャネルと、軟骨修復物体を配置するように構成されている少なくとも１つの他の誘導チャネルとを備えるように構成されているとしてよい。
【００６１】
本発明に係る誘導ツール１は、図２を参照すると、一実施形態例において、軟骨接触面２０８を含む位置決め本体２０２と、誘導本体２０６とを備える。誘導本体２０６は、上面２１０を持ち、断面積直径２１２の誘導チャネル２００を少なくとも２つ有する。誘導チャネル２００は、誘導ツール１の内部で利用される挿入ツール、例えば、プラグ採取および／または挿入ツールに適合するように構成されている。例えば、誘導チャネル２００は、挿入ツールに適合するように構成されており、挿入ツールは、誘導チャネルの内部で正確に嵌合して滑動して、誘導ツールを正確に誘導できるようにするとしてよい。
【００６２】
誘導ツール１はさらに、他の外科手術ツールまたは挿入ツールを誘導ツール１の誘導チャネル２００の内部で誘導するために用いるとしてよい。誘導ツール１は、関節の非ベアリング部分から正常な軟骨および骨プラグを採取しておよび／または挿入する動作を誘導するか、または、インプラントを軟骨損傷箇所の軟骨を置換する領域へと挿入する動作を誘導するとしてよい。
【００６３】
図２において、誘導ツール１の位置決め本体２０２に配置される穿孔孔２２２を利用する際に、誘導ツール１を骨に固定するために利用可能であるリベット２２４がさらに図示されている。
【００６４】
挿入ツールの例は、図３に図示している。挿入ツールは、例えば、軟骨採取挿入ツール３０２またはドリルビット３０４であってよい。
【００６５】
軟骨採取挿入ツール３０２は、複数の異なる部品から構成されているとしてよく、例えば、プランジャー３０８および中空体を備えるとしてよい。プランジャー３０８は、長さ３４７が、例えば、３−４０ｃｍである。中空体は、長さ３４７が３−２０ｃｍであり、上側部分３２４は直径３０３および長さ３４８を持ち、下側部分３１２は直径３０５および長さ３３６を持つ。上側部分３２４と下側部分３１２との間には、停止機能３１４が設けられている。上側部分３２４の直径３０３（例えば、０．２−１ｃｍ）は、軟骨採取挿入ツール３０２の下側部分３１４の直径３０５よりも大きい（例えば、０．１−０．９ｃｍ）。さらに、軟骨採取挿入ツール３０２は、長さ３５２が、例えば、１−２ｃｍである深さ制御機能３０６を備えるとしてよい。
【００６６】
ドリルビット３０４は、直径３９６（例えば、０．１−５ｃｍまたは０．２−１ｃｍ）および長さ３１１を持つ上側本体３２４と、直径３１３（例えば、０．１−５ｃｍまたは０．１−０．９ｃｍ）および長さ３０９を持つ下側本体３４４とから構成される。上側本体３１１と下側本体３１２との間には、停止機能３１６が設けられている。
【００６７】
関節の非ベアリング部分から生体の軟骨プラグを採取する動作は、挿入ツールを誘導ツール１の内部で利用して実行される。例えば、軟骨採取挿入ツール３０２を誘導ツール１の内部で利用する。図３を参照されたい。軟骨採取挿入ツール３０２にはさらに、採取した軟骨および骨プラグを軟骨損傷領域に配置するために用いられるプランジャー３０８を備えるとしてよい。別の実施形態によると、プラグ採取ツールおよび挿入ツールは、２つの異なるツールであって、両方が、軟骨プラグを骨に挿入する際または軟骨プラグを骨から採取する際に、適切に誘導するために誘導ツール１の内部で利用される。
【００６８】
誘導ツール１は、設計システムまたはＣＴシステムを利用して設計される。図４を参照されたい。軟骨損傷９２が発生している膝を、ＭＲ−Ｘ線９１を用いて検査して、コンピュータ９３で分析および処理して、収集したデータ９４をさらに誘導ツール１の設計９５で処理および利用する。
【００６９】
＜誘導ツール＞
図５は、軟骨損傷の上方に配置されている、本発明に係る誘導ツール１の実施形態例を示す部分図である。本発明に係る誘導ツール１は、少なくとも２つの誘導チャネル、本実施形態例では、２００Ａおよび２００Ｂと図示している誘導チャネルを備える誘導本体２０６を備える。誘導チャネル２００Ａおよび２００Ｂは、誘導本体２０６を貫通する。位置決め本体２０２は、患者の罹患軟骨箇所の周囲を取り囲む所定の領域において関節の軟骨下骨または軟骨の輪郭に嵌合および対応するように設計されている形状および輪郭を持つ軟骨接触面２０８を持つ。誘導ツール１はさらに、上面２１０が軟骨接触面２０８とは略反対方向に向いている。誘導本体２０６は、位置決め本体２０２から、誘導ツール１の上面２１０まで延在している。図２において、誘導ツール１は、大腿骨１４１の画像の上に配置されており、軟骨損傷箇所８０６の上方にある。誘導ツール１の位置決め本体２０６は、周辺軟骨６０６上に配置されている軟骨損傷９２の領域の上方に適合している。誘導ツール１に含まれる各誘導チャネル２００は、内側断面プロフィールが所定の面積を持つ。外側部分２３４の断面積は、内側部分２３２の断面積よりもわずかに大きいか、または、外側部分２３４の断面積は、内側部分２３２の断面積よりも１０％大きいとしてよい。
【００７０】
誘導ツール１の各誘導チャネル２００は、高さ２１８が０．３−２０ｃｍであるか、または、例えば、３−１０ｃｍである。
【００７１】
誘導ツール１は、例えば、軟骨修復物体６００、例えば、インプラントまたは移植物または軟骨および骨プラグを移植するべく、患者の軟骨損傷箇所８０６の準備を整える間に、ツールを誘導するために用いられる。
【００７２】
本発明の一実施形態によると、誘導ツール１における誘導チャネル２００は、内側断面プロフィールが特定の直径の円筒形状に形成されている。誘導チャネル２００の断面直径２１２は、誘導チャネル２００の内部で利用されるツールの直径に対応するように設計されているとしてよい。言い換えると、誘導チャネル２００の内部で利用されるツール、挿入ツールは、誘導チャネル２００内でツールが摺動可能となるようにわずかな公差を設けつつ、誘導チャネル２００に嵌合する。
【００７３】
誘導ツール１の誘導チャネル２００は、一実施形態によると、円筒形状に形成されており、直径２１２の外側部分２３４と、直径２３０の内側部分２３２（誘導ツール１の軟骨接触面２０８に近接）とを備える。内側部分および外側部分の直径は、同じ直径であってもよいし（０．１−５ｃｍまたは０．２−１ｃｍ）、外側部分２３４の直径２１２が０．１−５ｃｍまたは０．２−１ｃｍであり、０．１−５ｃｍまたは０．１−０．９ｃｍである内側部分の直径２６２よりもわずかに大きいとしてもよい。別の実施形態によると、内側部分２３２の直径２６２は、外側部分２３４の直径２１２よりも１０％小さい。
【００７４】
本発明に係る誘導ツール１の誘導本体２０６の内部にある誘導チャネル２００はさらに、停止機能２１４を有する。停止機能２１４は、誘導チャネル２００の内部においてツールをどの程度まで深く挿入するかを制御するために用いられる。このようにして、停止機能２１４は、挿入ツール、例えば、軟骨採取挿入ツール３０２が誘導本体２０６の内部にどの程度深く挿入されるか、または、誘導本体の内部において穿孔ツール３０４がどの程度深く挿入されるか、つまり、形成される穿孔孔の深さを制御する。停止機能２１４は、誘導チャネル２００の内部に配置されており、停止機能２１４の位置の上下にある挿入ツールを支持する。
【００７５】
誘導チャネル２００の内側で利用される挿入ツールの例を図３に示す。図３は、移植物またはインプラントを配置する際に利用されるプランジャー３０８と、中空体とを備える軟骨採取挿入ツール３０２を示す。軟骨採取挿入ツール３０２は、対応する停止部３１４を備える。停止部３１４は、誘導ツール１の停止機能２１４と組み合わせることで、誘導チャネルの内部で利用されるツールの利用深さを調整する（図３を参照）。軟骨採取挿入ツール３０２の深さをさらに調整するべく、深さ制御シリンダー３０６が利用される。深さ制御シリンダー３０６は、停止機能３１４の利用を制御するために用いられる。図３は、プランジャー３０８が深さ制御シリンダー３０６を備える中空体の内部で利用されている場合の軟骨採取挿入ツール３０２を示す図である。
【００７６】
誘導ツール１は、一実施形態によると、少なくとも２つの誘導チャネル２００が関節の非ベアリング部分の上方に配置されており、少なくとも１つの誘導チャネル２００が関節において軟骨損傷９２の上方に配置さるように構成されているとしてよい。例えば、図１３を参照されたい。誘導ツールは、軟骨プラグの採取を可能にするように構成および配置されている誘導チャネルと、軟骨修復物体６００を軟骨損傷９２の箇所に挿入する際に誘導するように構成されている誘導チャネル２００とを備えている。
【００７７】
誘導ツール１の誘導本体２０６は、開口または筒口２１６を持つ。筒口２１６は、軟骨表面に向かって開いている誘導チャネルの開口である。開口２１６は、関節内の罹患した軟骨の箇所に対応するように、関節の軟骨表面に対向する位置にある。例えば、この軟骨損傷は、サイズが０．１ｃｍ２および５ｃｍ２であり、０．５ｃｍ２と３ｃｍ２との間、または、好ましくは、約０．５ｃｍ２と２ｃｍ２との間、または、０．１−１０ｃｍ２の面積、または、例えば、０．１−４ｃｍの軟骨損傷を修復するためのものであるとしてよい。
【００７８】
誘導本体２０６の高さ２１８は、誘導本体２０６の内側で利用される挿入ツールを支持するために十分な長さを持つ必要がある。高さ２１８は、周囲の組織の厚みよりも高いことが好ましい。このように構成することで、誘導チャネル２００Ａおよび２００Ｂの上側開口２２０Ａおよび２２０Ｂは、外科医が到達し易い。誘導本体２０６の高さ２１８は、０．３−２０ｃｍであるか、または、３−１０ｃｍであり、誘導チャネル２００に挿入されるツールの安定性を保証するべく常に十分な高さを持つ。
【００７９】
本発明に係る誘導ツール１は、ある人物の関節について個別に設計されることが好ましい。または、平均的な人物の関節における軟骨表面に適合するように設計されている。挿入ツールは、例えば、軟骨採取挿入ツール３０２はさらに任意で、特定の人物の軟骨の個々の損傷について個別に設計される。
【００８０】
誘導ツール１の軟骨接触面２０８のサイズおよび形状は、損傷した軟骨のサイズおよび形状に応じて決定される。誘導ツール１の軟骨接触面２０８のサイズおよび形状はさらに、関節における軟骨領域の位置に応じて決まる。表面２０８のサイズおよび形状は、以下の側面を考慮して決まる。
外科手術による損傷を最小限に抑える
誘導ツール１の安定性を最大限まで高める
損傷の箇所に関する解剖学上の限界
関節内の全ての軟骨表面が誘導ツール１の配置に利用可能なわけではないこと
軟骨接触面２０８が大きく広がっていると、誘導ツール１の安定性が良好になる。しかし、接触表面２０８の表面積が大きくなると、外科手術による介入が大規模になる可能性があるので、望ましくない。このため、軟骨接触面２０８のサイズおよび位置決め本体２０６のサイズは、位置決め安定性を良好にしつつ、外科手術の規模を小さく抑えるというバランスによって決まる。また、軟骨接触面２０８は、誘導ツール１を適切に支持し安定して位置決めする限りにおいて、形状が一続きの正多角形である必要はなく、非正多角形の形状であってもよい。
【００８１】
軟骨接触面２０８は、例えば、誘導チャネルの筒口の面積よりも１０−９０％大きいとしてよい。本発明に係る誘導ツール（１）は、誘導チャネル（２００）および位置決め本体（２０６）を備える。位置決め本体（２０６）は、軟骨接触面（２０８）を有する。位置決め本体（２０６）は、誘導チャネル（２００）の外縁の外側に側方に延在している。側方の延在は、誘導ツール（１）が配置されるべき関節において最も高い安定性が得られる位置決め本体の構造および広がりに応じて決まる。誘導ツール（１）の位置決め本体（２０６）の広がりの設計は、個々の関節ごとに個別に決定されるとしてよい。
【００８２】
誘導ツール１を設計する際、軟骨接触面２０８は、インプラントを挿入する関節の軟骨表面上に分散している３つの点を被覆するように設計され得る（図２を参照、一の点２２２が穿孔孔の配置によって記されており、残りの２点は、挿入されるべきピン２２４を示すことによって記されている、図２の点線を参照のこと）。これらの点は、位置決め本体２０２に対する支持力および位置決め安定性を最大限に高めるべく選択されているので、これらの点は、外科医によって決定および特定されるか、または、設計ソフトウェアによって自動的に特定され、誘導ツール１の軟骨接触面２０８を設計する際の基本となる。軟骨接触面２０８はさらに、安定性を高めるために関節における軟骨表面における曲率を利用するように、形成され得る。例えば、膝関節において、後方顆間窩と呼ばれる浅い窪みによって顆は互いに分離しており、この曲率と内側上顆表面とを組み合わせて、軟骨接触面２０８が安定して膝関節の軟骨表面に取り付けられるようにする。関節の周囲を取り囲む他の表面も、誘導ツール１を取り付けるために利用するとしてよい。
【００８３】
表面は、一実施形態によると、軟骨損傷９２の周囲を取り囲む選択領域を被覆する一続きの表面である。別の実施形態によると、軟骨接触面２０８は、複数の点にまたがるように分布しており、互いに分離している接触点のうち３つ以上の点が、軟骨損傷９２の周囲を取り囲む選択領域、および、正常な軟骨プラグを採取するのに適した非ベアリング軟骨を含む関節の選択領域の両方を被覆することが好ましい。
【００８４】
軟骨接触面２０８は、一続きで正多角形状の表面である必要はないが、図２で例示している３つの点を少なくとも持つことが好ましい。任意で、軟骨接触表面２０８はさらに、釘、リベット、ピンまたは同様の取着手段によって、関節における軟骨の周囲を取り囲む骨に取り付けて安定化させるとしてもよい（図２を参照のこと）。しかし、他の実施形態では、このように誘導ツールをさらに取着する必要はない。このようにリベット２２４等でさらに取着すると、支持力および安定性がさらに高くなると共に、軟骨接触面を可能な限り小さくとどめることが可能になる。リベットの位置は、所定の位置であるとしてよく、位置決め本体上の予め形成された点または穿孔孔２２２によって記されているとしてよい。
【００８５】
誘導ツール１は、本発明の一実施形態によると、関節からの所定量の損傷した軟骨および／または損傷した軟骨下骨の除去を非常に高精度に誘導するとしてよい。損傷した軟骨を含む領域の準備を整える処理は、誘導ツール１の誘導チャネル２００の内部においてドリルビット３０４を用いて行われるとしてよく、軟骨に所定の角度で、軟骨修復物体６００が挿入される孔を用意する。
【００８６】
誘導ツール１は、本発明の一実施形態によると、非常に高精度で、そして、所定の角度２３６で、正常な軟骨を採取するのに適した関節の選択領域からの、軟骨および／または軟骨下骨プラグまたはインプラントの挿入を誘導するとしてよい。
【００８７】
誘導ツール１は、本発明の一実施形態によると、非常に高精度で、そして、所定の角度２３６で、正常な軟骨を採取するのに適した関節の選択領域からの、軟骨および／または軟骨下骨プラグの除去を誘導するとしてよい。
【００８８】
誘導ツール１は、本発明の一実施形態によると、有する誘導チャネルのうち少なくとも１つの選択誘導チャネル２００が、非常に高精度且つ所定の角度２３６で、正常な軟骨を採取するために適した関節の選択領域からの軟骨および／または軟骨下骨プラグの除去を誘導することに特化しており、さらに、他の選択誘導チャネル２００は、例えば、誘導ツールの誘導チャネルの内部で軟骨損傷箇所の除去または準備を行うように設計されている挿入ツールを利用して、非常に高精度且つ所定の角度２３６で、関節からの損傷した軟骨および／または損傷した軟骨下骨の所定量の除去を誘導することに特化しているとしてよい。また、同じ誘導チャネル２００はさらに、関節の非ベアリング部分から採取された正常な軟骨プラグの挿入を誘導するとしてよい。図１３を参照されたい。
【００８９】
別の実施形態によると、各誘導チャネルは、誘導チャネルの長手軸が、チャネルの軸が関節接合面と交差する箇所の骨または軟骨の関節接合面における点において描画される接平面の法線に対して０−４０度の間で選択された角度で傾斜するように配向されている。隣接する誘導チャネルは、傾斜角度が異なるとしてもよい。例えば、図５に図示した実施形態に示すように、第１のチャネル２００Ａは、長手軸２８６Ａの傾斜角が０度である。つまり、軸２８６Ａ（接平面２８４に対して）は、法線と一致する。一方、第２のチャネル２００Ｂの長手軸２８６Ｂ（接平面２８２に対して）は、傾斜角が２０度である（法線２８０に対して）。関節の骨に孔を穿孔するべく本例に係る誘導ツールを利用する場合、関節接合面に対する角度が異なり、そして、互いに異なる角度を持つ２つの孔が結果として得られる。
【００９０】
例えば、誘導チャネルは、誘導チャネルの長手軸が、チャネルの軸が関節接合面と交差する箇所における骨または関節の関節接合面における点において描画される接平面の法線に対して０−４０度の間で選択された角度で傾斜するように配向されるべく設計される。このような構成とすることで、軟骨損傷箇所を所望通りに高精度で修復し得る。
【００９１】
角度２３６は、軟骨修復物体６００が、修復すべき損傷した箇所に適合するように、または、正常な軟骨プラグが選択された傾斜角２３６で採取されるように、選択されるとしてよい。角度２３６および誘導ツールの誘導本体２０６の内部における誘導チャネル２００の位置は、軟骨修復物体６００が、所定角度で、損傷に対して、さらに、他の軟骨修復物体６００に対してモザイクパターンで、修復すべき損傷領域に適合するようにも選択されるとしてよい。例えば、図５を参照されたい。
【００９２】
誘導ツール１の誘導チャネル２００はさらに、個別に設計されており、損傷した軟骨の除去を誘導するために用いられる。誘導チャネル２００は、一実施形態によると、ある深さにおいて損傷軟骨箇所から損傷軟骨の除去を誘導するために用いられる停止機能２１４を持つ。誘導ツール１の誘導チャネル２００は、個別に設計されており、所定の角度２３６における所定の深さ２９０での損傷軟骨箇所への軟骨修復物体６００の挿入を誘導するために用いられる。
【００９３】
誘導ツール１は、医療処置での利用が認められている適切な一または複数の種類の材料、例えば、セラミック、プラスチック、金属、合金またはアルミナ材料、または、これらの組み合わせを利用して製造される。誘導ツール１、特に、軟骨接触面２０８はさらに、配設対象である軟骨の摩耗および損傷の危険性を減らすべく、平滑、均一および／または低摩擦である材料から形成されることが好ましい。このような材料としては、例えば、金属、セラミック、および、アクリロニトリルブタジエンスチレン（ＡＢＳ）等のポリマー、または、ナイロンまたはＧＦＮ（Ｇｌａｓｓ  Ｆｉｌｌｅｄ  Ｎｙｌｏｎ）等のポリアミド、または、透明のエポキシ材料または非透明のエポキシ材料が挙げられる。利用する材料はさらに、研磨するとしてもよい。
【００９４】
図５は、誘導ツール１の実施形態例を示す図である。誘導本体２０６は、基部内に中空空間２２６を持つ。中空空間２２６は、関節においてインプラント用の孔を用意する際の穿孔処理またはリーミング処理で発生する軟骨組織および骨チップ等の廃棄物を排出するための空間であり、および／または、外科医が軟骨損傷箇所を見易いように設けられている空間である。
【００９５】
＜プラグ採取挿入ツール＞  プラグ採取挿入ツール３０２は、インプラントの挿入に備えるべく、関節において軟骨損傷領域の周辺の軟骨を切り出すために用いられる挿入ツールである。図３を参照されたい。
【００９６】
本発明の別の実施形態によると、プラグ採取挿入ツール３０２は、関節の非ベアリング部分の軟骨を切り出すために、または、インプラントを切り出すために用いられた後、採取した正常な軟骨を軟骨損傷箇所８０６（正常な軟骨および骨プラグを取り出すための準備が整えられている）に移すために用いられる挿入ツールである。プラグ採取挿入ツール３０２はこの後、プラグ採取挿入ツール３０２の中空体３１０の内部でプランジャー３０８を利用して、採取した正常な軟骨および骨プラグ、または、インプラントを、軟骨損傷箇所８０６に配置するべく用いられる。図８のＥからＦを参照されたい。
【００９７】
別の実施形態によると、プラグ採取挿入ツール３０２は、例えば、軟骨および／または骨を打ち抜きまたは切断することができる鋭利な端部を備えるとしてよい。鋭利な端部は、円筒形状であってよく、採取した軟骨および骨プラグは採取ツール本体３１２の内部に収納可能であるとしてよい。プラグ採取挿入ツール３０２は、誘導ツール１の誘導チャネル２００の内部で利用され、プラグ採取挿入ツール３０２が誘導チャネル２００の内部において摺動可能となるようにわずかな公差を維持しつつ、誘導チャネル２００内に嵌合する。プラグ採取挿入ツール３０２は、軟骨を切断する際に、採取した軟骨および骨プラグの切断後のエッジが鋭利で平滑となるように構成されていることが好ましい。
【００９８】
本発明の一実施形態例によると、プラグ採取挿入ツール３０２はポンチとして利用される。プラグ採取挿入ツール３０２は、一端に中空形状または孔３３０が形成されている中実体である。孔３３０は、鋭利な端部３３２を持つ。プラグ採取挿入ツール３０２は、関節の非ベアリング面から正常な軟骨を打ち抜くために用いられる。プラグ採取挿入ツール３０２は、誘導ツール１２の誘導チャネル２００の内部に配置される。尚、孔３３０は下向きに軟骨の方に向いている。この後、ハンマーを用いて、プラグ採取挿入ツール３０２の孔３３０を軟骨を貫通するように打つ。このようにして、損傷した軟骨は打ち抜き処理によって除去される。取り除いた軟骨の深さは、それぞれの患者の需要に合わせて調整するとしてよく、誘導ツール１の誘導チャネル２００の内部の停止機能３１４と、軟骨採取挿入ツール３０２の停止機能３１４とを組み合わせることによって制御する。
【００９９】
プラグ採取挿入ツール３０２の切断用端部が鋭利であることは非常に重要である。プラグ採取挿入ツール３０２の鋭利な端部の材料は、軟骨および骨の内部に打ち込まれる際の圧力に耐えることができる安定した複数の材料から選択される。このような材料の例としては、ステンレススチール等の金属またはセラミック材料またはプラスチック材料またはハードコーティングされた材料である。
【０１００】
プラグ採取挿入ツール３０２の断面プロフィールは、本発明のさまざまな実施形態において、０．１ｃｍ２と５ｃｍ２との間、０．５ｃｍ２と３ｃｍ２との間、または、好ましくは約０．５ｃｍ２と２ｃｍ２との間で変化する。
【０１０１】
プラグ採取挿入ツール３０２の長さ３３４は、誘導チャネル２００の高さ２１８よりも長い。誘導チャネル２００の内側部分２３２の高さ２４０は、プラグ採取挿入ツール３０２の下側部分または狭小部分３１２の長さ３３６よりも短い。誘導チャネル２００の内側部分２３２の長さとプラグ採取挿入ツール３０２の下側部分または狭小部分３１２の長さ３３６との間の差分は、採取される軟骨プラグの長さに対応する。
【０１０２】
＜ドリルビット３０４＞
本発明の一実施形態例によると、挿入ツールはドリルビット３０４である。図３を参照されたい。ドリルビット３０４は、インプラントの挿入に備えるべく、損傷した軟骨の領域の周囲において、関節の損傷した軟骨および骨を除去するために用いられる。
【０１０３】
ドリルビット３０４は、上側ドリル本体３２４を備える。上側ドリル本体３２４が誘導チャネル２００の内部で摺動可能となるような公差が設けられている。上側ドリル本体３２４は、断面プロフィールが誘導チャネル２００の外側部分２３４の内側断面プロフィールに対応するように構成されており、上側ドリル本体３２４が誘導チャネル２００の内部で摺動可能となるような公差が設けられている。ドリルビット３０４はさらに、ドリルブレードである下側ドリル本体３４４を備える。また、下側ドリル本体３４４の断面プロフィールは、形成された穿孔孔に配置されるインプラントの断面に対応する。
【０１０４】
本発明の一実施形態によると、外科キットは、軟骨損傷の箇所において、軟骨修復物体６００を固定するべく、骨に孔を穿孔するために利用されるドリルビット３０４を備える。
【０１０５】
ドリルビット３０４は、深さゲージまたは停止機能３１６を有する。ドリルビット３０４の停止機能３１６は、誘導チャネル２００内の停止機能２１４によって支持されており、この支持力を利用して穿孔孔の深さは制御可能であり、骨に形成する穿孔孔の位置および深さおよび方向を正確に調整するために用いられるとしてよい。
【０１０６】
＜制御ロック＞
制御ロック７０４は、軟骨および骨プラグを、配置した後に、調整するために用いられる。図６のＣを参照のこと。制御ロックの形状は、正常な軟骨表面の形状に類似したものとなっている。制御ロックの使い方は、全ての軟骨修復物体６００の上に制御ロックを配置した後、ハンマーの力によって全てのプラグを周囲の軟骨と同じ高さにする。
【０１０７】
制御ロックは、軟骨損傷の領域における軟骨の実際の正常軟骨表面に対応または類似するように個別に設計される。
【０１０８】
制御ロックは、医療措置での利用が認められている適切な一または複数の種類の材料、例えば、セラミック、プラスチック、金属、合金またはアルミナ材料またはこれらの組み合わせを用いて形成されているとしてよい。
【０１０９】
＜正常な軟骨プラグまたはインプラント＞
図６のＡ−Ｂは、採取挿入ツールと共に本発明に係る誘導部を利用して関節の非ベアリング部分から除去された正常な軟骨および骨プラグを示す図である。
【０１１０】
本発明に係る誘導ツール１によって誘導されて採取された正常な軟骨プラグはさらに、採取後に、研削ツールを用いて整形するとしてよい。研削ツールは、鉛筆削り器として構築されているとしてよく、鋭利なブレードを備えるが、採取した軟骨プラグの骨部分の形状および／または長さを調整するために用いるとしてよい。このような調整を行うことで、複数のプラグをまとめて軟骨損傷領域に適したものに構成するとしてよい。図６のＡは、採取された正常な軟骨プラグ６００を示す図である。図６のＢは、採取した正常な軟骨プラグが本発明に係る研削ツールを用いて研削された様子を示す。図６のＣは、モザイク修復技術を利用して修復されている軟骨損傷箇所を示す図である。モザイク修復技術は、挿入前に研削ツールを利用して研削する複数の正常な軟骨プラグを利用することを含む。これにより、軟骨プラグは軟骨の損傷領域により良好に嵌合する。図６のＣはさらに、制御ロック７０４を利用する様子を示す。
【０１１１】
本発明の実施形態によると、プラグの量および正常な軟骨および骨プラグのサイズおよび形状は、怪我の形状およびサイズに応じて選択される。
【０１１２】
本発明にしたがって採取された正常な軟骨プラグ６００、または、本発明にしたがって利用されるインプラントは、断面積が０．５ｃｍ２と５ｃｍ２との間であり、０．５ｃｍ２と３ｃｍ２との間であり、または、約０．５ｃｍ２と２ｃｍ２との間であることが好ましく、長さ７１０は、１−４ｃｍ、または１．５−３ｃｍである。
【０１１３】
本発明にしたがって採取された正常な軟骨プラグ６００、または、本発明にしたがって利用されるインプラントは、断面直径７１１が、例えば、０．１−１ｃｍであり、長さ７１０を持つ。
【０１１４】
正常な軟骨および骨プラグは特に、膝の外観および損傷の形状に応じて、そして、体の一部に類似させるべく、シミュレーションされた正常な軟骨表面の画像に好ましくは対応する表面を持つものとして設計される。インプラントは、例えば、本発明に係る誘導ツールを用いて、非ベアリング軟骨領域から個別に採取され、患者毎に関節の損傷部分に適合するように採取される。
【０１１５】
しかし、正常な軟骨骨プラグのサイズを決定する際の主な要因は、修復するべき損傷の性質である。
【０１１６】
＜本発明に係る誘導ツールおよび挿入ツールの利用＞
本発明は、誘導ツール１を提供する。公知の方法と比べると、軟骨修復物体の挿入が成功するか否かは、外科医のスキルに左右される程度が低くなる。本発明は、個別に設計される誘導ツール１を提供するという効果を奏する。誘導ツール１の機能および設計によって、常に、移植の精度が改善し、関節において正確に所望の位置にインプラントを配置することができる。外科手術の精度は、誘導ツールの設計に「組み込まれて」いる。
【０１１７】
本発明に係る誘導ツールは、損傷および他の外科ツールに嵌合するように構成されていると共に、高精度に誘導が可能で、外科手術の高速化、簡略化および再現性を改善するので、人間の膝または他の関節に嵌合するように個別に調整されているとしてよく、外科医の学習曲線が短くなる。
【０１１８】
一実施形態例によると、正常な軟骨および骨プラグは、膝の損傷した軟骨と置換されるためのものである。本発明に応じて正常な軟骨および骨プラグを移植すべき箇所は、軟骨関節接合面である。軟骨関節接合面は、例えば、大腿骨外側顆（ＬＦＣ）表面、大腿骨内側顆（ＭＦＣ）表面、滑車表面、膝蓋骨表面、脛骨表面（例えば、脛骨の結節の表面）、および、これらの一部およびこれらの組み合わせを含む。例えば、正常な軟骨および骨プラグは、これらの表面のうちいずれか一つに配置され得る。
【０１１９】
本発明に応じて正常な軟骨および骨プラグを採取する箇所は、非ベアリング軟骨表面であり、これらの一部およびこれらの組み合わせである。
【０１２０】
正常な軟骨および骨プラグは、誘導ツールを用いた小規模開口外科手術によって挿入される。当該誘導ツールは、個別に設計されるか、または、患者のためにカスタムメイドすることが好ましいとしてよい。さらに、誘導ツールは、軟骨採取挿入ツール３０２に適合し、さらに修復すべき軟骨領域に適合するようにカスタムメイドする。
【０１２１】
これによって、回復期間が短くなり、病院で患者が過ごす時間が短くなるので、患者の負担が減り、コスト面からも好ましい。このように任意で個別に設計された誘導ツールを軟骨採取挿入ツール３０２と共に利用することによって、インプラント挿入が最適なものとなるので、現在一般的に利用されている方法が抱える問題の一つである位置ずれを回避することができる。
【０１２２】
本発明は、配置および位置決めおよび支持方法が改善されるので軟骨においてぴったりと嵌合しつつ配置され得る軟骨修復物体６００を提供することによって、損傷した軟骨を修復するという課題を解決することを目的とする。
【０１２３】
＜誘導ツールを用いてインプラントを移植する方法の詳細な説明＞
図７を参照されたい。図７のＡ−Ｂによると、軟骨損傷９２等の損傷の領域を特定し、正常な軟骨プラグの所望のサイズおよび形状を決定する。軟骨損傷の位置およびサイズは、ＭＲＩ画像またはＣＴ画像の組み合わせ、または、ｄＧＥＭＲＩＣ技術８００によって特定され得る。そして、画像を特別な外科手術計画ツールソフトウェア８０２で処理するとしてよい。外科手術キットの部品は全て、軟骨損傷のサイズ、軟骨損傷の位置、および、損傷が無い場合の表面の外観の個別シミュレーション結果に応じて個別に調整されるとしてよい。外科手術計画ツールソフトウェア８０２はさらに、配置、角度表面曲率、および、損傷の場所における正常な軟骨プラグの深さを計画するために用いられるとしてよい。
【０１２４】
これに代えて、採取した軟骨および骨プラグを利用することに代えて、一連の所定のインプラントから軟骨損傷９２の修復のためのインプラントを選択するとしてもよい。外科手術ツールの形状はさらに、選択されたインプラントまたはプラグに合わせて調整する。図７のＡからＣを参照されたい。本発明に係る誘導ツール１は、以下の要因に応じて製造される。
必要な軟骨および骨プラグ、または、インプラントのサイズ
損傷の局所性
軟骨表面の外観および／または置換すべき骨
損傷箇所と相対的にそして互いに相対的に決まり、特定の角度および深さで表されるインプラントの配置
採取箇所（関節における非ベアリング軟骨、当該箇所から正常な軟骨プラグを採取する）
【０１２５】
挿入ツールは、誘導ツールについて選択された選択肢に応じて、そして、インプラントまたは正常な軟骨プラグについて選択されたサイズに応じて製造される。
【０１２６】
軟骨損傷を発症している人物の関節のＭＲ画像／ＣＴスキャン画像に基づいて、外科手術計画ソフトウェアを用いて設計するとしてよい。外科手術計画ソフトウェアは、例えば、レーザプリンタ、施盤および／またはリーマーである製造装置に接続されている。そして、キットを構成する部品は、例えば、アディティブ方式製造技術、レーザ焼結技術、施盤技術またはリーミングを用いて製造される。
【０１２７】
また、制御ロック７０４は、患者の軟骨損傷箇所９２の正常な軟骨表面をシミュレーションした結果に応じて設計されるとしてよい。
【０１２８】
図７のＤを参照されたい。損傷の局在性およびインプラントのサイズに応じて、さらに、誘導ツールのサイズおよび構造に応じて、脚組織に外科手術で開口を形成する。これに代えて、損傷した軟骨の層を取り除く。
【０１２９】
図７のＥを参照されたい。誘導ツール１は、膝の軟骨の表面上に配置する。誘導ツール１が適合するのは、その特定の位置に配置されるものとしてカスタムメイドされているためである。これによって、外科手術（軟骨および骨の除去および正常な軟骨プラグまたはインプラントの挿入または正常な軟骨プラグの採取）を高精度で実行することができるようになる。必要であれば、誘導ツールはさらに、軟骨組織が無い関節の一部と接触している誘導ツールの一部でリベット２２４を用いて安定化させることができる。
【０１３０】
図７のＦを参照されたい。周辺組織に設けた開口を通して誘導ツール１２を軟骨上に配置した後で、ドリルビット３０４は任意で軟骨に孔を穿孔するために用いられるとしてよい。ドリルビット３０４の上側部分３２４は、誘導チャネル２００の上側部分２３４とぴったりと嵌合するので、インプラントまたは正常な軟骨プラグのサイズに高精度で適合する所望のサイズ、深さおよび角度の孔を、所望の位置および角度で、軟骨および／または骨に形成することができる。
【０１３１】
図７のＧからＨを参照されたい。ドリルビット３０４はこの後、誘導チャネル２００に挿入される。ドリルビット３０４は、骨のうち軟骨修復物体６００を取り付けるべき箇所に、孔を正確且つ所望の位置に配置するべく、誘導チャネル２００の内部で利用される停止機能３１６を含むとしてよい。孔の直径は、軟骨修復物体の直径よりも小さくするとしてよい。このため、軟骨修復物体が所定位置に打ち込まれると、骨に強固に取り付けられる。任意で、損傷した軟骨の除去およびインプラントを配置するための孔の形成は、軟骨採取挿入ツール３０２またはリーマビットを用いて行うことができる。
【０１３２】
誘導ツールを用いて骨における孔の穿孔処理を誘導すると、修復すべき箇所には、両者間の最短距離８０４が好ましくは１−３ｍｍとなるように複数の孔が形成されている。この孔の配置については、既に図７のＢのステップで計画されている。
【０１３３】
図８を参照されたい。図８のＡは、軟骨損傷を修復するために用いられる正常な軟骨および骨プラグを採取するための所望の領域９００の一実施形態例を示す図である。この採取処理は、誘導ツール１の内部にある軟骨採取挿入ツール３０２を用いて実行されるとしてよい。または、採取処理は、図８のＡに示すステップで証明しているように、誘導ツールは利用せず軟骨採取挿入ツール３０２を用いて実行されるとしてよい。
【０１３４】
軟骨採取挿入ツール３０２を軟骨に入れる際の深さ２９０は、軟骨採取挿入ツール３０２の狭小部分３１２に取り付けられており軟骨採取挿入ツール３０２の停止機能３１４によって支持されている深さ制御シリンダー３０６に応じて決まる。深さ制御シリンダー３０６の長さ３５０と、軟骨採取挿入ツール３０２の狭小部分３１２の長さ３３６との間の長さの差９０２によって、採取される正常軟骨プラグの長さが決まる。
【０１３５】
図８のＣを参照されたい。  同図は、採取された軟骨プラグは、研削ツール７００を用いて、採取された軟骨プラグの骨部分が、研削された軟骨および骨プラグ７０６で見られるように、わずかに研削されるように、整形することを示している。軟骨修復物体も同様に、研削ツールを用いて長さを調整するとしてよい。採取された軟骨プラグは、このように処理することで、配置することが容易になるとしてよく、互いに相対的により良好に位置合わせされるとしてよい。本発明の別の実施形態によると、採取された軟骨プラグは、採取した軟骨プラグの基礎となる骨（７０８を参照のこと）よりも軟骨の方が断面積が大きくなるように、回転させる。
【０１３６】
図８のＤ−Ｆを参照されたい。  インプラント用の孔を形成した後、任意で図８のＡ−Ｃに説明しているように、正常な軟骨のインプラントのプラグを採取して、同様に任意で整形して、例えば、採取したインプラントを正確に一致する穿孔された孔の内部に配置するべく、誘導ツール１を軟骨採取挿入ツール３０２と共に用いる。軟骨採取挿入ツール３０２は、採取したインプラントプラグを配置する際にプランジャー３０８と共に用いる。プランジャー３０８は、軟骨採取挿入ツールの本体３１０および３１２の内部に配置されており、採取された軟骨プラグは、軟骨採取挿入ツール３０２の内部に配置されており、押し出されて図７のＧに示すステップで作成された孔の内部に配置される。図８のＥ−Ｆに示すように、ハンマーを、正常な軟骨プラグを孔に配置するべく、プランジャー３０８の上部で利用するとしてよい。
【０１３７】
図８のＧを参照されたい。  図８のＧは、本発明に係る方法に応じて軟骨修復を行った後の軟骨損傷箇所を示す図である。任意で、制御ロック７０４（図６のＣに示す）を、配置されたインプラントの上で利用して、インプラントプラグの表面を、損傷が発生する前の患者の所望の軟骨表面に合うようにさらに調整するとしてよい。
【０１３８】
＜誘導ツールを設計する設計方法の詳細な説明＞
図４は、本発明の実施形態に係る、外科手術キットを設計するための設計プロセスを示す概略図である。設計システムは、基本的なブロックとして以下を備える。
Ｉ．患者の体の一部または四肢９８の関節の軟骨損傷９２の画像９１を取得することによって、物理的パラメータを決定。関節における軟骨損傷９２の物理的パラメータを決定し、軟骨修復物体６００の設計パラメータを生成。
ＩＩ．軟骨修復物体６００を配置するべく、または、関節の非ベアリング部分から正常な軟骨および骨プラグを取得するべく、用いられる誘導ツール１の設計パラメータ９５を生成。
【０１３９】
物理パラメータおよび設計パラメータは、データ処理システムで実行される特定目的のために設計されるコンピュータプログラムコード部分によって処理または生成されるデジタルデータとして表現される。システムは、完全に自動化されているとしてもよいし、または、コンピュータでサポートされている手動の工程、例えば、選択、シミュレーションまたはキャッピング（ｃａｐｐｉｎｇ）の一部分を含むとしてよい。処理の結果として得られる設計パラメータは、製造工程における図面での入力として利用されるのに適した形式、通常はＳＴＬまたはＳＴＥＰ等の形式で格納される。
【０１４０】
Ｉ．関節における軟骨損傷９２の物理的パラメータを決定して、軟骨修復物体６００用の設計パラメータを生成
患者の四肢９８における関節の骨部材の３次元画像を表す一または複数の画像９１を、本質的に公知の関節を非侵襲的に撮像する撮像技術、例えば、磁気共鳴映像法（ＭＲＩ）、コンピュータ断層撮影法（ＣＴ）またはこれらの組み合わせ、または、他の適切な技術、例えば、遅延相軟骨造影ＭＲＩ（ｄＧＥＭＲＩＣ）技術から選択された一の技術を利用して取得する。関節の画像は、関節における軟骨の画像および軟骨損傷の領域における基礎となる軟骨下骨の画像を含んでいる必要がある。関節の３次元画像を構成している画像データは、画像が描画している実際の関節の寸法を反映可能なデジタル形式で格納されている。
【０１４１】
画像データ９４は、データ処理システム９３で分析されて、軟骨損傷９２の物理的パラメータを特定および決定する。決定すべき物理的パラメータには、軟骨損傷９２の有無、位置、サイズおよび形状、そして、軟骨の表面輪郭の曲率または軟骨損傷９２の領域における軟骨下骨の表面輪郭の曲率が含まれる。つまり、軟骨損傷箇所８０６を決定する。
【０１４２】
本発明の概念に係る設計システムは、患者の各関節および現在の軟骨損傷の画像９１に基づいて物理的パラメータを決定するので、個別に設計された誘導ツール１を作成する。
【０１４３】
以下に説明する段階は、一実施形態によると、関節における軟骨損傷の物理的パラメータを決定して、軟骨修復物体６００および所定パターンにおける相対的な配置の設計パラメータを生成する段階に含まれている。
ａ．関節の骨部材の３次元画像を表している画像データ９４を取得する段階
一例を挙げると、図９Ａおよび図９Ｂは、関節の３次元画像を表している一連の画像の一例を示す概略図である。図９Ａは、大腿骨１３１、膝蓋骨１３４、脛骨１３７、および、腓骨１３８と共に膝関節１３３の断面を示す図である。関節接合軟骨１３２は大腿骨に、関節接合軟骨１３６は脛骨にあることが分かる。図１２のＡ−Ｂは、軟骨損傷９２および軟骨損傷箇所８０６を含む大腿骨の関節接合軟骨部分１３０を示す正面図である。
ｂ．取得した画像データ９４において、骨部材の関節接合面における各軟骨損傷９２を特定する段階
自動化された処理では、コンピュータプログラムが、画像データをスキャンして、当該画像データにおける軟骨損傷９２の箇所の所定の特徴を検索する。この段階において手動の処理を部分的に含むプロセスの場合には、操作者が表示された関節の画像を視覚的に走査して、軟骨損傷９２の視覚的特徴を持つ箇所を特定する。図９Ａは、脛骨における軟骨損傷９２の一例を示す図である。図９Ｂは、軟骨損傷９２の一例を示す図であり、決定された大腿骨における軟骨損傷箇所８０６を示す正面図である。
ｃ．取得した画像データ９４に基づいて、各軟骨損傷９２の位置を決定する段階
関節における軟骨損傷の位置を表す一連のデータは、自動的に、または、手動で選択される。位置データは、例えば、画像データにおける一連の規定の座標として格納される。
ｄ．取得した画像データ９４に基づいて、各軟骨損傷９２のサイズおよび形状を決定する段階
ｅ．決定した軟骨損傷９２のサイズおよび形状に基づいて軟骨損傷箇所８０６を決定する段階
選択された軟骨損傷９２のサイズおよび形状の測定値は、例えば、軟骨損傷９２の周囲を取り囲む正常な軟骨の境界線を決定することによって、画像データ９４で算出される。図１２のＢは、二次元の所定または選択された円形断面形状８０６を自動的または部分的に手動で軟骨損傷に一致させる方法の一例を示す図である。図９Ｂは、正常な軟骨の厚み１４４が、軟骨損傷９２を覆うように広がる軟骨損傷箇所８０６の外周において決定される例を示す図である。サイズおよび形状のデータは、例えば、所定の分解能で、一連の外周および厚みのデータとして格納される。
ｆ．取得した画像データ９４に基づいて、各軟骨損傷箇所８０６および／または各軟骨損傷箇所８０６を含む所定領域における関節の軟骨下骨の表面輪郭曲率を決定する段階
表面輪郭の曲率は、例えば、画像処理分野において本質的に公知の表面一致方法によって、または、各軟骨損傷箇所８０６に適合するように曲率を手動で描線することで、決定される。決定した曲率の情報は、方程式、または、一連の画像データとして表示され得る。決定した曲率は、曲率情報のサブセットを２つ含むことが好ましい。第一に、一方の曲率情報のサブセットは、軟骨損傷を被覆する領域について選択された境界線を画定する軟骨損傷箇所８０６を含む輪郭部分の曲率を含む。第二に、他方の曲率情報のサブセットは、好ましくは互いに対向する斜め部分を含む、軟骨損傷の箇所の周囲を取り囲む輪郭部分の曲率を含む。
ｇ．各軟骨損傷箇所を含む正常な表面輪郭曲率の表現を決定する段階
ｈ．各軟骨損傷箇所８０６に適合する修復物体を選択する段階
尚、軟骨修復物体６００は、
断面積が、軟骨損傷箇所の表面積に適合するように構成されており、
長さ２９０が、選択された関節および／または選択された種類の軟骨損傷に適合するように構成されており、
表面が、正常な表面輪郭曲率に基づき、関節における関節接合軟骨表面とそろうように構成されている。
ｉ．取得した画像データに基づき、選択された軟骨修復物体６００の位置および角度を決定する段階
当該位置および角度は、選択された修復物体が各軟骨損傷箇所８０６に適合するように構成されている。
【０１４４】
ＩＩ．軟骨修復物体６００を配置するために用いられる、または、正常な軟骨および骨プラグを関節の非ベアリング部分から採取するべく用いられる誘導ツール１の設計パラメータ９５を生成する段階
【０１４５】
誘導ツール１の設計パラメータの生成は、軟骨損傷９２および周囲の組織の物理パラメータ、ならびに、特定の外科手術用のインプラントの形状を決定するための所定の手順に応じて設計段階９５で物理パラメータを処理することで生成される軟骨修復物体６００の設計パラメータに基づいて行われる。段階Ｉを参照のこと。
【０１４６】
以下で説明する段階は、一実施形態によると、誘導ツール１の設計パラメータを生成する段階に含まれている。
ａ．軟骨および／または軟骨損傷とその箇所の周囲を含む所定領域における関節内の軟骨下骨について決定した表面輪郭曲率に応じて、位置決め本体２０６の軟骨接触面２０８についての接触点を生成する段階
この場合、位置決め本体２０６の軟骨接触面２０８が、関節における軟骨または軟骨下骨の各表面輪郭、および／または、各関節の正常な軟骨表面のシミュレーション結果に適合するように、接触点を生成する。
ｂ．誘導本体２０６において位置決め本体２０２から延伸する誘導チャネル２００の上側部分２３４および下側部分２３２の設計を生成する段階
誘導チャネル２００は、位置決め本体２０２および誘導本体２０６を通過して、角度および位置は、選択された軟骨修復物体について決定された角度および位置に応じて略対応するように生成される。
全ての誘導チャネル２００の下側部分２３２の設計は、選択された軟骨修復物体６００について決定された断面積に基づいて略対応するように生成される。
異なる実施形態では、各誘導チャネルは、誘導チャネルの長手軸が、チャネルの軸が関節接合面と交差する箇所の骨または軟骨の関節接合面における点において描画された接平面の法線に対して０度と４０度との間で選択された角度で傾斜するように配向される。隣接する誘導チャネル同士は、傾斜角度が異なるとしてもよい。例えば、図５に図示した実施形態に示すように、第１のチャネル２００Ａは長手軸２８６Ａの傾斜角が０度で、つまり、軸２８６Ａは法線に一致する一方、第２のチャネル２００Ｂの長手軸２８６Ｂは、傾斜角が２０度である。本例に係る誘導ツールを用いて関節の骨に孔を穿孔すると、関節接合面に対して、そして、互いに相対的に角度が異なる２つの孔が形成される。
【０１４７】
図１０は、本発明に係る画像ベースツールをどのように用いて、２つの正常な軟骨修復物体６００のための軟骨および軟骨下骨における孔１３５のモデルを画像において視覚化するかを示す概略図である。図１１は、生成された設計パラメータに応じた軟骨修復物体６００が挿入されている軟骨修復箇所を示す図である。画像ベースツールはさらに、決定された物理パラメータに適合する所定の形状の軟骨修復物体を利用して、軟骨損傷箇所８０６に自動的または手動で適合して設計パラメータを生成するように構成されるとしてもよい。
【０１４８】
＜その他の実施形態＞
本発明の実施形態はさらに、以下の段階を任意に組み合わせることを含む。
ｂ．ドリルビットの設計パラメータを生成する段階であって、穿孔深さの調整のためのドリルビット３０４上の深さ制御シリンダーの寸法および位置を生成する段階を含む段階。孔に配置されるべき軟骨修復物体６００の断面プロフィールに略対応する断面プロフィール、または、ドリルビット３０４を利用する誘導チャネル２００の断面プロフィールに略対応する断面プロフィールを持つドリルビットの上側部分３２４の寸法を生成する段階。一実施形態によると、ドリルビット３０２は、選択された誘導チャネル２００に適合するように構成されており、ドリルビット３０２の制御停止機能３１６の設計を選択することによって穿孔孔を所望の深さとするように構成されている。
ｃ．軟骨採取挿入ツール３０２の設計パラメータを生成する段階であって、切断面３３２を持つ端部を有する軟骨採取挿入ツール３０２の設計パラメータを生成する段階を含む段階。軟骨採取挿入ツールの端部は、孔に配置すべき軟骨修復物体の断面に略対応する断面プロフィールを持つ孔３３０を持つ。軟骨採取挿入ツール３０２を利用する誘導チャネル２００の上側部分２３４のサイズおよび寸法に応じて穿孔深さの調整を行うためのドリルビット３０４の制御停止機能３１６の寸法および位置を生成する段階。誘導チャネル２００の内側部分（２３２）の断面直径（２６２）は、ドリルビットの上側部分３２４の断面直径３９６よりも小さく、例えば、ドリルビット３０４の上側部分３２４の断面直径に比べて２０％未満の割合で小さいか、または、１−２０％小さい。または、ドリルビット３０４の上側部分３２４の断面直径３９６は、０．５−３ｃｍまたは０．７−１．５ｃｍであり、誘導チャネルの上側部分２３４の断面直径２１２は、約０．５−３ｃｍまたは０．７−１．５ｃｍであり、誘導チャネル２００の内側部分２３２の断面直径２６２は、０．５−３ｃｍまたは０．５−１ｃｍである。
ｄ．軟骨修復物体６００の設計パラメータを生成する段階であって、軟骨修復物体６００の設計パラメータを生成し、軟骨修復物体６００同士を直径が１−３ｃｍの範囲内であるプラグまたはインプラントの間の最短距離８０４で配置するための設計を生成する段階を含む段階
ｅ．位置決め本体２０２の設計パラメータを生成する段階であって、誘導ツール１を関節内に安定して位置決めすることを目的として、関節の一部分と接触するべく誘導本体２０６の周囲に分散している３つの接触点２２２を持つ位置決め本体２０２の軟骨接触面２０８の設計パラメータを生成する段階を含む段階
ｆ．高さ２１８が０．３−２０ｃｍまたは３−１０ｃｍである１または２の誘導チャネル２００の設計パラメータを生成する段階。
なお、以下の構成もまた開示される。
［項目１］
関節の関節接合面の軟骨修復のための誘導ツールを設計する方法であって、
関節における軟骨損傷の物理パラメータを決定して、軟骨修復物体および前記軟骨修復物体の所定パターンにおける相対的な配置の設計パラメータを生成する段階（Ｉ）を備え、
前記段階（Ｉ）は、
それぞれの軟骨損傷箇所に適合する修復物体を選択する段階（ＩＩ）と、
取得した画像データに基づいて、選択された前記軟骨修復物体の位置および角度を決定する段階（ＩＩＩ）と、
前記軟骨修復物体を配置するべく前記誘導ツールの設計パラメータを生成する段階（ＩＶ）と
を有し、
前記修復物体は、正常な表面輪郭曲率に基づき、表面が前記関節における軟骨の関節接合面とそろうように構成されており、
前記選択された軟骨修復物体の前記位置および角度は、前記選択された修復物体が前記それぞれの軟骨損傷箇所に適合するように調整されており、
前記段階（ＩＶ）は、
位置決め本体から延伸している誘導本体における誘導チャネルの上側部分および下側部分の設計を生成する段階（Ｖ）
を含み、
前記誘導チャネルは、前記位置決め本体および前記誘導本体を通過しており、
前記軟骨修復物体の前記角度および位置は、前記選択された軟骨修復物体の前記決定された角度および位置に応じて略対応するように生成され、
全ての前記誘導チャネルの前記下側部分の設計は、前記選択された軟骨修復物体の決定された断面積に応じて略対応するように生成される、方法。
［項目２］
高さが０．３−２０ｃｍ、例えば、３−１０ｃｍまたは２−１０ｃｍまたは２−５ｃｍである前記誘導チャネルの設計パラメータが生成される、項目１に記載の方法。
［項目３］
前記修復物体は、それぞれの軟骨に適合するように選択され、
前記修復物体は、
断面積が、前記軟骨損傷箇所の表面積に適合するように調整されており、
長さが、選択された関節および／または選択された種類の軟骨損傷に適合するか、または、選択された関節および／または選択された種類の軟骨損傷より長くなるように調整されている、項目１または２に記載の方法。
［項目４］
前記軟骨修復物体は、インプラント、または、正常な軟骨および骨プラグである、項目１から３のいずれか一項に記載の方法。
［項目５］
軟骨接触面は、前記誘導チャネルの筒口の面積よりも１０−９０％大きい、項目１から４のいずれか一項に記載の方法。
［項目６］
前記軟骨修復物体はそれぞれ、サイズが０．１ｃｍ２および５ｃｍ２であり、０．５ｃｍ２と３ｃｍ２との間であり、または、約０．５ｃｍ２と２ｃｍ２との間であることが好ましい、項目１から５のいずれか一項に記載の方法。
［項目７］
前記誘導ツールは、関節における総軟骨面積の０．１−５０％を占める、面積が０．１−１０ｃｍ２である軟骨損傷を修復することを目的としている、項目１から６のいずれか一項に記載の方法。
［項目８］
前記誘導ツールは、高精度で、前記関節における軟骨全体の１−７０％であるサイズを持つ軟骨損傷を修復するように構成されている、項目１から７のいずれか一項に記載の方法。
［項目９］
前記誘導チャネルは、前記チャネルの軸が前記関節接合面と交差する箇所の骨または軟骨の前記関節接合面上の点において描画される接平面の法線に対して０−４０度の範囲内で選択された角度において、前記誘導チャネルの長手軸が傾斜するように配向されるように構成されており、前記軟骨損傷箇所に対して正確且つ所望される修復を実行する、項目１から８のいずれか一項に記載の方法。
［項目１０］
前記誘導本体はさらに、前記関節において前記インプラントのための孔を設ける際の穿孔処理またはリーミング処理で発生する軟骨組織および骨チップ等の廃棄物の排出を可能とし、および／または、外科医が容易に前記軟骨損傷箇所を視認できるようにする中空空間を含む、項目１から９のいずれか一項に記載の方法。
［項目１１］
前記誘導ツールは、前記誘導チャネルの外周の外側に側方に延伸する位置決め本体を有する、項目１から１０のいずれか一項に記載の方法。
［項目１２］
前記誘導ツールは、前記誘導チャネルの外周の外側に側方に延伸する位置決め本体を有する、項目１から１１のいずれか一項に記載の方法。
［項目１３］
前記関節の画像を表現する画像データは、磁気共鳴映像法（ＭＲＩ）、コンピュータ断層撮影法（ＣＴ）もしくは両者の組み合わせ、または、他の適切な技術、例えば、遅延相軟骨造影ＭＲＩ（ｄＧＥＭＲＩＣ）技術、または、ＣＴもしくはＭＲおよび放射線造影剤の組み合わせを用いて取得する、項目１から１２のいずれか一項に記載の方法。
［項目１４］
項目１から１３のいずれか一項に記載の方法に応じて設計された誘導ツールおよびデータを用いる段階（ａ）と、
前記段階（ａ）で製造した個別に整形した前記誘導ツールを軟骨損傷箇所に挿入して、任意で、前記誘導ツールを軟骨に固定する段階（ｂ）と、
患者の前記軟骨損傷箇所において骨および軟骨に孔を穿孔する際に、誘導のために前記誘導ツール内の選択された誘導チャネルを利用する段階（ｃ）と、
誘導のために前記誘導ツールを利用して前記段階（ｃ）で作成した前記孔に選択された軟骨修復物体を配置する段階（ｄ）と
を備える、項目１５から２３のいずれか一項に記載の誘導ツールを利用する手術方法。
［項目１５］
本発明に係る誘導ツールの製造方法であって、
必要な骨プラグおよび軟骨、または、インプラントのサイズ、
損傷の局在性、
置換すべき軟骨表面および／または骨の外見、
損傷箇所に対する前記インプラントの配置、および、前記インプラント同士の相対的な配置、および、前記インプラントの配置の特定の角度および深さ、
採取箇所（正常な軟骨プラグを採取する関節内の非ベアリング軟骨）、
といった要因に応じて前記製造方法を実行し、
挿入ツールは、前記誘導ツールについて選択された選択肢に応じて、および、前記インプラントまたは前記正常な軟骨プラグについて選択されたサイズに応じて製造され、
設計は、外科手術計画ソフトウェアを利用して、軟骨損傷を持つ人物の関節のＭＲ画像／ＣＴスキャン画像に基づいて生成され、
外科手術計画ソフトウェアは、例えば、レーザプリンタ、施盤および／またはリーマーといった製造装置に接続されており、キットの部品は、例えば、アディティブ型製造方法、レーザ焼結技術、施盤技術またはリーミング技術を用いて製造される、製造方法。
［項目１６］
前記軟骨修復物体は、インプラントまたは正常な軟骨および骨プラグである、項目１から１５のいずれか一項に記載の方法。
［項目１７］
設計された前記誘導チャネル同士の間の相対的な最短距離は、１−３ｍｍである、項目１から１６のいずれか一項に記載の方法。
［項目１８］
項目１から１７のいずれか一項に記載の方法で設計または製造される誘導ツール。
［項目１９］
誘導ツールであって、
前記誘導ツールは、位置決め本体を備えており、
前記位置決め本体は、誘導本体を有し、
前記誘導本体は、少なくとも１つの誘導チャネルおよび軟骨接触面を含み、
前記軟骨接触面は、関節における損傷軟骨の箇所の周囲の所定の領域において軟骨または軟骨下骨のそれぞれの輪郭に適合するように構成されており、
前記誘導チャネルは、断面プロフィールが前記挿入ツールの断面に対応するように構成されており、
前記誘導チャネルはそれぞれの筒口が、損傷した軟骨の箇所に対向する位置において、軟骨損傷に対向している誘導ツールであって、
前記誘導チャネルは、所定パターンで前記誘導本体中に配置され、
前記誘導チャネルの位置および前記誘導チャネル同士の相対的な距離および前記誘導チャネルの角度は、それぞれの軟骨損傷箇所に適合するように構成されている、誘導ツール。
［項目２０］
位置決め本体は、誘導チャネルの外周の外側に横方向に延在している、項目１８または１９に記載の誘導ツール。
［項目２１］
前記誘導チャネルのうち少なくとも１つは、外側部分および内側部分を有し、前記外側部分は、前記内側部分よりも体積が大きく、前記外側部分と前記内側部分との間には停止機能が設けられているか、または、前記外側部分の断面直径は、前記内側部分の断面直径よりも小さく、または、例えば、前記外側部分の断面直径は、前記内側部分の断面直径に比べて、３０％未満または１−２０%の割合で、小さい、項目１８から２０のいずれか一項に記載の誘導ツール。
［項目２２］
前記誘導ツールの前記位置決め本体の前記軟骨接触面が３つの接触点を有しており、これら３つの接触点は、誘導本体全体に分散しており、前記関節において誘導ツールを安定して位置決めするべく、前記関節の一部に接触する、項目１８から２１のいずれか一項に記載の誘導ツール。
［項目２３］
前記誘導チャネルの高さが０．３−２０ｃｍであり、または、好ましくは３−１０ｃｍまたは２−１０ｃｍである、項目１８から２２のいずれか一項に記載の誘導ツール。
【図１】
0005861901.tif 000002
【図２】
0005861901.tif 000003
【図３】
0005861901.tif 000004
【図４】
0005861901.tif 000005
【図５】
0005861901.tif 000006
【図６Ａ】
0005861901.tif 000007
【図６Ｂ】
0005861901.tif 000008
【図６Ｃ】
0005861901.tif 000009
【図７】
0005861901.tif 000010
【図８】
0005861901.tif 000011
【図９Ａ】
0005861901.tif 000012
【図９Ｂ】
0005861901.tif 000013
【図１０】
0005861901.tif 000014
【図１１】
0005861901.tif 000015
【図１２Ａ】
0005861901.tif 000016
【図１２Ｂ】
0005861901.tif 000017
【図１３】
0005861901.tif 000018
【図１４】
0005861901.tif 000019
【図１５】
0005861901.tif 000020